(57)【要約】【課題】粘度が比較的高い排泄液についても良好な吸収性能を示す吸収性物品を提供すること。【解決手段】肌対向面を形成する肌側シートと非肌対向面を形成する非肌側シートと吸収性コア４０を含む吸収体とを備え、長手方向に前方部、排泄部対向部及び後方部を有する吸収性物品であって、吸収性コア４０は、排泄部対向部Ｂに、一対の側方領域４５，４５と、該一対の側方領域間に位置し、該各側方領域よりも坪量が大きい中央領域４１とを有しており、中央領域４１は、各側方領域４５より厚みが厚い厚肉領域４２と、厚肉領域４２と各側方領域４５との間に位置し厚肉領域４２に比して厚みが薄く密度が高い高密度領域４３を有し、高密度領域４３に、肌対向面側又は非肌対向面側から吸収性コアの厚み方向の内方に向かって窪んだ局所的高密度部としての圧縮部６が相互間に間隔を設けて複数形成され、圧縮部６は高密度領域４３の他の部位よりも密度が高い。【選択図】図２
2017094047.tif 000002
【特許請求の範囲】
【請求項１】
肌対向面を形成する肌側シートと非肌対向面を形成する非肌側シートと吸収性コアを含む吸収体とを備え、長手方向に前方部、排泄部対向部及び後方部を有する吸収性物品であって、
前記吸収性コアは、前記排泄部対向部に、一対の側方領域と、該一対の側方領域間に位置し、該各側方領域よりも坪量が大きい中央領域とを有しており、
前記中央領域は、前記各側方領域より厚みが厚い厚肉領域と、該厚肉領域と前記各側方領域との間に位置し該厚肉領域に比して厚みが薄く密度が高い高密度領域を有しており、
前記高密度領域に、前記肌対向面側から又は前記非肌対向面側から、前記吸収性コアの厚み方向の内方に向かって窪んだ局所的高密度部が、相互間に間隔を設けて複数形成されており、該局所的高密度部は該高密度領域における他の部分より密度が高い、吸収性物品。
【請求項２】
前記局所的高密度部は、前記吸収性コアの前記肌対向面側から前記非肌対向面側に向かって窪んでいる、請求項１に記載の吸収性物品。
【請求項３】
前記局所的高密度部は、前記吸収性コアの前記非肌対向面側から前記肌対向面側に向かって窪んでいる、請求項１に記載の吸収性物品。
【請求項４】
前記局所的高密度部は、散点状に形成されている、請求項１〜３の何れか１項に記載の吸収性物品。
【請求項５】
前記吸収性コアは、前記側方領域と前記中央領域とが一体成形されている、請求項１〜４の何れか１項に記載の吸収性物品。
【請求項６】
前記側方領域にも、前記肌対向面側から前記非肌対向面側に向かって窪んだ局所的高密度部が、相互間に間隔を設けて複数形成されている、請求項１〜５の何れか１項に記載の吸収性物品。
【請求項７】
前記厚肉領域は、前記吸収性コアにおける前記非肌対向面側の面に突出部を形成している、請求項１〜６の何れか１項に記載の吸収性物品。
【請求項８】
前記厚肉領域及び前記側方領域における前記非肌対向面側に、前記吸収性コアの長手方向に沿って延びる縦溝が形成されている、請求項１〜７の何れか１項に記載の吸収性物品。
【請求項９】
前記厚肉領域及び前記側方領域における前記非肌対向面側に、前記吸収性コアの幅方向に沿って延びる横溝が形成されている、請求項１〜８の何れか１項に記載の吸収性物品。
【発明の詳細な説明】
【技術分野】
【０００１】
本発明は、吸収性物品に関する。
【背景技術】
【０００２】
従来、着用者の身体に対するフィット性の向上等の観点から、生理用ナプキン等の吸収性物品に、着用者の肌側に向かって突出する隆起部を設けることが広く行われている。そのような吸収性物品においては、内部に配される吸収性コアの一部に突出部を設けることが一般的である。
また、種々の目的から、吸収性物品の吸収体に凹凸を形成することも行われている。例えば、特許文献１には、柔軟性と薄さとを両立させる観点から、長手方向の前後端域に、表面側から裏面側に向かって凹んで吸収層まで延びる第１圧縮凹部と裏面側から表面側に向かって凹んで吸収層まで延びる第２圧縮凹部とを形成した吸収性物品が記載されている。また、特許文献２には、吸収した液によるムレ等の軽減の観点から、液吸収層が非肌対向面側に突出する複数の小吸収部を備えている吸収性物品の小吸収部に、非肌対向面側から肌対向面側に向かって窪む圧縮部を設けることが記載されている。また、特許文献３には、軽量化および低コストを実現しつつ、吸収性能やフィット性を向上させるために、上層と下層とを有する吸収層に、上層から下層に達する凹状の第１エンボスを形成するとともに、上層から幅方向にはみ出した下層のみに第１エンボスよりも浅い凹状の第２エンボスを形成することが記載されている。
【先行技術文献】
【特許文献】
【０００３】
【特許文献１】特開２０１３−１４６４０５号公報
【特許文献２】特開２０１４−１１０８８７号公報
【特許文献３】特開２０１４−１７１５７３号公報
【発明の概要】
【発明が解決しようとする課題】
【０００４】
ところで、生理用ナプキンが吸収する液体である経血は、生理期間中の時期や個人差、そのときどきの体調等によって、粘度が低い場合と粘度が比較的高い場合とがある。べたつきや肌の湿潤による痒み等の不都合を防止する観点から、そのいずれの場合も、吸収性物品上に排泄された液体を、極力短時間に肌から隔離した状態となるように吸収体に吸収させることが望まれるが、従来の吸収性物品は、粘度が低い液体に高い吸収性能を示すものであっても、粘度が高い液体には十分な吸収性能を示さないものが多かった。
【０００５】
本発明は、粘度が比較的高い排泄液についても良好な吸収性能を示す吸収性物品に関する。
【課題を解決するための手段】
【０００６】
本発明は、肌対向面を形成する肌側シートと非肌対向面を形成する非肌側シートと吸収性コアを含む吸収体とを備え、長手方向に前方部、排泄部対向部及び後方部を有する吸収性物品であって、前記吸収性コアは、前記排泄部対向部に、一対の側方領域と、該一対の側方領域間に位置し、該各側方領域よりも坪量が大きい中央領域とを有しており、前記中央領域は、前記各側方領域より厚みが厚い厚肉領域と、該厚肉領域と前記各側方領域との間に位置し該厚肉領域に比して厚みが薄く密度が高い高密度領域を有しており、前記高密度領域に、前記肌対向面側から又は前記非肌対向面側から、前記吸収性コアの厚み方向の内方に向かって窪んだ局所的高密度部が、相互間に間隔を設けて複数形成されており、該局所的高密度部は該高密度領域における他の部分より密度が高い、吸収性物品を提供するものである。
【発明の効果】
【０００７】
本発明によれば、粘度が比較的高い排泄液についても良好な吸収性能を示し、特に表面の液残りが少ない吸収性物品が提供される。
【図面の簡単な説明】
【０００８】
【図１】図１は、本発明の一実施形態である生理用ナプキンの一部破断斜視図である。
【図２】図２（ａ）は、図１のＩＩａ−ＩＩａ線断面図であり、図２（ｂ）は、図１のＩＩｂ−ＩＩｂ線断面図である。
【図３】図３は、図１に示す生理用ナプキンの吸収性コアを肌対向面側から視た平面図である。
【図４】図４は、図１に示す生理用ナプキンの吸収性コアを非肌対向面側から視た平面図である。
【図５】図５（ａ）及び図５（ｂ）は、吸収性コアに形成する圧縮部の好ましい配置の例を示す拡大平面図である。
【図６】図６は、図１に示す生理用ナプキンの吸収性コアの製造に好ましく使用される積繊装置の要部を示す模式図である。
【図７】図７（ａ）〜図７（ｃ）は、図１に示す生理用ナプキンの吸収体の製造方法の説明図である。
【図８】図８（ａ）及び図８（ｂ）は、図１に示す生理用ナプキンの作用効果の説明図である。
【図９】図９（ａ）及び図９（ｂ）は、図６に示す積繊装置における積繊ドラム外周部の、ドラム周方向に沿う断面を示す模式図である。
【図１０】図１０は、本発明の他の実施形態における図２（ａ）相当図である。
【発明を実施するための形態】
【０００９】
以下本発明を、その好ましい実施形態に基づき図面を参照しながら説明する。
本発明の吸収性物品の一実施形態である生理用ナプキン１（以下、単にナプキン１ともいう）は、図１に示すように、肌対向面を形成する肌側シート１０と、非肌対向面を形成する非肌側シート１３と、吸収性コア４０を含む吸収体１４とを備えている。吸収体１４は、肌側シート１０と非肌側シート１３との間に配置されている。
生理用ナプキン等の吸収性物品において、肌対向面Ｐは、着用時に着用者の肌側に向けられる面であり、前述した肌側シート１０は、その肌対向面を形成している。また、生理用ナプキン等の吸収性物品において、非肌対向面Ｑは、着用時に着用者の肌側とは反対側、通常衣類側に向けられる面であり、前述した非肌側シート１３は、その非肌対向面を形成している。
また、ナプキン１は、その長手方向Ｘに、前方部Ａ、排泄部対向部Ｂ及び後方部Ｃを有している。生理用ナプキン等の吸収性物品において、長手方向Ｘとは、着用時に着用者の前後方向と一致する方向であり、幅方向Ｙとは、当該吸収性物品の平面視において、長手方向Ｘと直交する方向である。
【００１０】
ナプキン１は、幅方向Ｙの中央部に、肌側シート１０、吸収性コア４０及び非肌側シート１３が厚み方向に積層された構成の吸収性本体１５を有しており、排泄部対向部Ｂにおける吸収性本体１５の左右両側に一対のウイング部１７，１７が形成され、後方部Ｃにおける吸収性本体１５の左右両側に一対の後方フラップ部１８，１８が形成されている。
本実施形態における肌側シート１０は、図１に示すように、液透過性の表面シート１１及びその両側に接合された一対のサイドシート１２，１２を備えている。液透過性の表面シート１１は、ナプキン１の幅方向Ｙの中央部に長手方向Ｘに延びて配されている。サイドシート１２は、ナプキン１の長手方向Ｘの両側部に配され、図２（ａ）に示すように、それぞれ、内側縁部１２ａ側の一部を表面シート１１上に重ねた状態で、内側縁部１２ａからやや幅方向Ｙの外方の位置において表面シート１１に接合されている。一対のウイング部１７，１７及び一対の後方フラップ部１８，１８は、吸収性本体１５の両側縁から延出したサイドシート１２及び非肌側シート１３からなる。ウイング部１７の非肌側シート１３側の面には、ショーツのクロッチ部の非肌対向面に固定するためのウイング部粘着部（図示せず）が設けられ、吸収性本体１５の非肌対向面には、吸収性本体１５をショーツの内面に固定するための本体粘着部（図示せず）が設けられている。後方フラップ部１８の非肌側シート１３側の面にも、ショーツの内面に固定するため粘着部が設けられていることが好ましい。
【００１１】
肌側シート１０と非肌側シート１３とは、吸収体１４の周縁部より外方に延出した部分が接着剤で互いに接合されていると共にナプキン１の周縁部においてヒートシール等による熱融着により接合されている。
【００１２】
本実施形態における吸収体１４は、図１及び図３に示すように、ナプキン１の長手方向Ｘと同方向に長い縦長形状の吸収性コア４０を備えている。吸収性コア４０は、パルプ繊維等の繊維材料からなる繊維集合体又は該繊維集合体の繊維間に高吸水性ポリマーを保持させたものからなる。また吸収体１４は、図１に示すように、吸収性コア４０を包むコアラップシート１４ｃを備えている。詳細には、吸収性コア４０は、長手方向Ｘの両側縁部及び上下両面の全域を、ティッシュペーパーや透水性の不織布からなるコアラップシート１４ｃによって被覆されている。コアラップシート１４ｃは、吸収性コア４０の形成材料の漏れ出しを防止したり、吸収性コア４０の保形性を高める目的で使用される。吸収性コア４０は、一枚又は複数枚のコアラップシートにより、吸収性コア４０の幅方向に沿う横断面の全周が被覆されていることが好ましい。例えば、吸収性コア４０の肌対向面又は非肌対向面側に配された一枚のコアラップシートの両側部が、吸収性コア４０の他面側に折り返され、その折り返された部分が、前記他面を被覆している別のコアラップシートの両側部上に積層されていることも好ましい。その積層された部分のシート間は、接合されていなくても良いが、接着されていることも好ましい。
【００１３】
肌側シート１０と吸収体１４との間、吸収性コア４０とその肌対向面側を被覆するコアラップシートとの間、吸収性コア４０とその非肌対向面側を被覆するコアラップシートとの間は、接着されていなくても良いが、ドットパターン、スパイラルパターン、ストライプパターン、市松パターン等の間欠パターンでパターン塗工された接着剤により互いに接合されていることが好ましい。
なお、本実施形態のナプキン１においては、吸収性コア４０の長手方向及び幅方向が、ナプキン１（吸収性物品）の長手方向Ｘ及び幅方向Ｙに一致しているため、吸収性コア４０の長手方向及び幅方向も長手方向Ｘ及び幅方向Ｙと表現する。また、図２、図３、図５、図７、図８には、コアラップシートが図示されていないが、これらの図の圧縮部６の位置においては、コアラップシートが吸収性コア４０と共に、吸収体１４の肌対向面Ｐ側から非肌対向面Ｑ側に向かって凹陥している。なお、図２（ａ）及び図２（ｂ）を纏めて図２、図５（ａ）及び図５（ｂ）を纏めて図５、図７（ａ）〜図７（ｃ）を纏めて図７、図８（ａ）及び図８（ｂ）を纏めて図８という。
【００１４】
吸収性コア４０は、図２及び図３に示すように、排泄部対向部Ｂに、一対の側方領域４５，４５と、一対の側方領域４５，４５間に位置し、各側方領域４５よりも坪量が大きい中央領域４１とを有している。本実施形態における中央領域４１は、図３に示すように、平面視して楕円形状に形成されており、吸収性コア４０の幅方向Ｙの中央部に形成されている。中央領域４１は、図３に示すように、吸収性コア４０の長手方向Ｘに沿う長さが吸収性コア４０の幅方向Ｙに沿う長さより長い縦長の形状に形成されていることが好ましい。
一対の側方領域４５，４５は、吸収性コア４０の長手方向の両側部に、それぞれ吸収性コア４０の長手方向Ｘに延びて形成されている。側方領域４５は、図３に示すように、中央領域４１の両側縁４１Ｓそれぞれの外方に各側縁４１Ｓに沿って延びるように形成されており、中央領域４１の側縁４１Ｓに沿う内側縁４５ａと、吸収性コア４０の側縁部の一部を構成する直線状の外側縁４５ｂとを有している。中央領域４１の平面視形状は、楕円形状に代えて、長円状、縦長矩形状、中央部が括れた長円又は縦長矩形状、正方形状、円形状等の他の形状であっても良い。
【００１５】
また、吸収性コア４０における中央領域４１は、図２及び図３に示すように、吸収性コア４０の幅方向に、各側方領域４５より厚みが厚い厚肉領域４２と、厚肉領域４２と各側方領域４５との間に位置し、該厚肉領域４２に比して厚みが薄く密度が高い高密度領域４３を有している。
【００１６】
本実施形態における吸収性コア４０の厚肉領域４２は、図２に示すように、吸収性コア４０における非肌対向面側の面に突出部４４を形成している。突出部４４は、厚肉領域４２の厚み方向の一部からなる。また、厚肉領域４２及び該厚肉領域４２の一部からなる突出部４４は、吸収性コア４０の幅方向Ｙにおいて、中央領域４１の中央部に形成されており、吸収性コア４０の平面視において、吸収性コア４０の長手方向Ｘに長い形状を有している。また高密度領域４３は、中央領域４１の長手方向の両側部に、それぞれ吸収性コア４０の長手方向Ｘに延びて形成され、吸収性コア４０の長手方向Ｘに長い形状を有している。即ち、本実施形態における、厚肉領域４２、突出部４４及び高密度領域４３は、何れも、吸収性コア４０の長手方向Ｘに沿う長さが吸収性コア４０の幅方向Ｙに沿う長さより長い縦長の形状に形成されている。なお、高密度領域４３は、吸収性コア４０の長手方向に沿う一対の外縁部が側方領域４５に隣接している。
【００１７】
また、厚肉領域４２、突出部４４及び高密度領域４３は、何れも、ナプキン１等の吸収性物品における少なくとも排泄部対向部Ｂに形成されている。図１に示す例では、排泄部対向部Ｂの前端部付近から後方部Ｃの一部に亘って形成されている。厚肉領域４２、突出部４４及び高密度領域４３は、何れも、吸収性コア４０の長手方向Ｘの全長の２０％以上１００％以下の長さに亘って形成されていることが好ましく、吸収性コア４０の全長の３０％以上１００％以下の長さに亘って形成されていることがより好ましい。
【００１８】
本発明の吸収性物品は、例えば、本実施形態のナプキン１や後述する第２実施形態のナプキン１Ａにおけるように、吸収性コア４０の高密度領域４３に、肌対向面Ｐ側から又は非肌対向面Ｑ側から、吸収性コア４０の厚み方向の内方に向かって窪んだ局所的高密度部６が、相互間に間隔を設けて複数形成されている。
本実施形態のナプキン１は、図２及び図３に示すように、吸収性コア４０における高密度領域４３に、肌対向面Ｐ側から非肌対向面Ｑ側に向かって窪んだ局所的高密度部である圧縮部６が、相互間に間隔を設けて散点状に複数形成されている。
ここで圧縮部とは、本発明における局所的高密度部であり、平面視において、その周囲より密度が高められた部位の意味である。つまり、高密度領域４３には更に密度が高められた局所的高密度部としての圧縮部６が存在している。
本実施形態における圧縮部６は、図５（ａ）に示すように、個々の圧縮部６の形状が吸収性コア４０の平面視において円形状であり、複数の圧縮部が、千鳥状の配置パターンで形成されている。より詳細には、高密度領域４３及び隣接する側方領域４５には、圧縮部６が吸収性コア４０の長手方向Ｘに間隔を開けて直列配置されてなる長手方向圧縮部列６ｘが、吸収性コア４０の幅方向Ｙに複数列形成されており、隣り合う長手方向圧縮部列６ｘの圧縮部６の長手方向Ｘの位置が半ピッチずれている。図５（ｂ）は、圧縮部６の配置の他の好ましい例を示す図で、圧縮部６が吸収性コア４０の長手方向Ｘに間隔を開けて直列配置されてなる長手方向圧縮部列６ｘが吸収性コア４０の横方向に複数列形成されており、隣り合う長手方向圧縮部列６ｘの圧縮部６の長手方向Ｘの位置が一致している。
圧縮部６は、個々の形状が平面視において円形であることが好ましいが、楕円形、長円形、正方形、長方形、三角形等の非円形の形状であっても良い。なお楕円形及び長円形としては、長軸の長さが短軸の長さの３．０倍以下であることが好ましい。
【００１９】
図５（ａ）及び図５（ｂ）に示す各配置において、個々の長手方向圧縮部列６ｘ中の圧縮部６の配置ピッチＰ１は、圧縮部６の直径Ｌ６に対して、好ましくは１１０％以上、より好ましくは１２０％以上であり、また好ましくは３５０％以下、より好ましくは３４０％以下であり、また好ましくは１１０％以上３５０％以下、より好ましくは１２０％以上３４０％以下である。また、吸収性コア４０の幅方向Ｙにおける長手方向圧縮部列６ｘの配置ピッチＰ２は、圧縮部６の直径Ｌ６に対して、好ましくは１１０％以上、より好ましくは１２０％以上であり、また好ましくは３５０％以下、より好ましくは３４０％以下であり、また好ましくは１１０％以上３５０％以下、より好ましくは１２０％以上３４０％以下である。また、圧縮部６の直径Ｌ６は、好ましくは１．０ｍｍ以上、より好ましくは１．５ｍｍ以上であり、また好ましくは５．０ｍｍ以下、より好ましくは４．０ｍｍ以下であり、また好ましくは１．０ｍｍ以上５．０ｍｍ以下、より好ましくは１．５ｍｍ以上４．０ｍｍ以下である。
なお、圧縮部６が円以外の形状である場合には、圧縮部６の長手方向Ｘの長さ及び幅方向Ｙの長さのうち、長い方の長さを上記「直径」の長さに読み替える。例えば、長手方向Ｘに対して傾いた楕円形状の圧縮部である場合には、圧縮部を長手方向Ｘ成分及び幅方向Ｙ成分に分けて各々の長さを長手方向Ｘ成分の長さ及び幅方向Ｙ成分の長さとし、そのうちの長い方の長さを「直径」の長さとする。また、長手方向圧縮部列６ｘ中の圧縮部６の配置ピッチＰ１は、圧縮部６の上記長手方向Ｘ成分の中心点間の長さとし、幅方向Ｙにおける圧縮部６の配置ピッチＰ２は、圧縮部６の上記幅方向Ｙ成分の中心点間の長さとする。
【００２０】
本実施形態のナプキン１においては、図３に示すように、圧縮部６が、高密度領域４３及び該高密度領域４３に隣接する側方領域４５の両領域に同様のパターンで散点状に形成されているが、これに代えて、圧縮部６が高密度領域４３のみに形成されていても良い。
高密度領域４３には、吸収性コア４０の幅方向Ｙにおける配置位置が異なる複数の圧縮部が形成されていることが好ましく、例えば、上述した長手方向圧縮部列６ｘが２列以上形成されていることが好ましい。
【００２１】
本実施形態のナプキン１の吸収性コア４０における高密度領域４３は、図７（ａ）に要部を示す積繊装置６３を用いて、図７（ａ）に示すような、高密度領域４３となる側部部分４３’を含めて厚みが厚い高坪量の幅広厚肉領域４１’を、製造時の搬送方向ＭＤと直交する幅方向ＣＤの中央部に有する積繊体４０Ａ〔図７（ａ）参照〕を製造した後、該積繊体４０Ａをコアラップシート（図示略）で被覆した状態下に、図７（ｂ）に示すプレス装置を用いて、該積繊体４０Ａに、幅広厚肉領域４１’の側部部分４３’を加圧圧縮するプレス加工を施して形成したものである。
本実施形態のナプキン１においては、積繊体４０Ａにおける、平面視して楕円形状の幅広厚肉領域４１’の機械方向ＭＤに沿う一対の側部部分４３’が、図７（ｂ）に示すように、プレス装置による加圧により圧縮されて厚みが減じられており、その加圧圧縮された側部部分４３’が、圧縮されないか相対的に弱く圧縮された厚肉領域４２に比して、密度が高い高密度領域４３となっている。
【００２２】
本実施形態のナプキン１の吸収性コア４０における高密度領域４３、及び該高密度領域４３に隣接する側方領域４５には、図７（ｃ）に示すように、エンボスロール７４及びアンビルロール７６を備えたエンボス装置によるエンボス加工により、前述した圧縮部６が形成されている。そのため、本実施形態のナプキン１の高密度領域４３においては、圧縮部６が形成されている部分は、エンボス加工により圧縮されている分だけ、高密度領域４３における圧縮部６が形成されていない部分に比して密度が高くなっており、側方領域４５においては、圧縮部６が形成されている部分は、エンボス加工により圧縮されている分だけ、側方領域４５における圧縮部６が形成されていない部分に比して密度が高くなっている。
なお、本実施形態のナプキン１の吸収性コア４０における側方領域４５は、プレス装置により圧縮されていないか、幅広厚肉領域４１’の側部部分４３’に比して弱く圧縮されており、高密度領域４３及び厚肉領域４２に比して低坪量である上に、高密度領域４３に比して低密度となっている。
【００２３】
本実施形態のナプキン１は、通常の生理用ナプキンと同様に、ショーツのクロッチ部に固定して使用される。
ナプキン１の着用中に、ナプキン１の排泄部対向部Ｂの表面シート１１上に経血等の液体が排出されると、図８（ａ）に矢印ａで示されるように、その液体は坪量の大きい中央領域４１に吸収されていく。中央領域４１は高坪量故に吸収容量が高く、排泄物を保持し易い。これに加えて、中央領域４１の厚肉領域４２と、これに隣接する高密度領域４３が存在することにより、液体は厚み方向深くまで吸収され易いとともに、高密度領域４３へ一部の液体が密度勾配により良好に拡散して保持されるために液体の吸収速度が速くなる。このために、肌側シートに液が残り難く、吸収性コア４０から表面シート１１への液戻りもし難いために、着用者の肌が液体に濡れた感触を感じにくくなる。
一方、図８（ｂ）に示すように、高密度領域４３に設けられた圧縮部６は、肌対向面側から非肌対向面側に向かって窪んでおり、平面視において周囲に位置する部分より高密度であるとともに、高密度領域４３の密度を肌当接面側で高めているため、吸収体１４の表面を幅方向Ｙに流れた粘性の高い液体であっても当該部分で吸収され易くなる。ここで、厚肉領域４２と隣接して高密度領域４３が位置しているために液体は厚肉領域４２に保持され易く、しかも高密度領域４３は側方領域４５よりも坪量が高いので、高密度領域４３は液体の吸収容量に余裕が生じ易い。このため、高密度領域４３でも肌当接面側から液体を吸収・保持しやすいので、幅方向からの液漏れが抑制される。
このような作用により、本実施形態のナプキン１によれば、粘度が低い液体のみならず比較的粘度が高い液体の場合であっても、表面シート１１や表面シート１１と吸収体１４との間に液体が滞留することが抑制され、液体が肌に再付着することによるべたつきや不快感の発生を効果的に抑制することができ、また、肌が過度に湿潤状態となることによって誘発される肌の痒み等も効果的に防止することができる。また、防漏性能にも優れている。
斯かる効果は、高密度領域４３に圧縮部６が散点状に形成されていることによって、一層確実に奏される。
【００２４】
また本実施形態のナプキン１における吸収性コア４０は、側方領域４５，４５と中央領域４１とが一体成形されており、液体の移行性を妨げることなく、上述した効果が一層確実に奏される。
本明細書において、「一体成形されている」とは、別の工程で製造した部材どうしを接着剤や圧縮などの接合手段で結合したものとは異なり、連続する一体物として形成されていることを意味する。したがって、中央領域４１と側方領域４５，４５との境界部に、別に製造した２つの吸収性コアを並べて配置した場合に生じるコアどうしの隣接部や結合部が存在しない。また、本実施形態のナプキン１においては、吸収性コア４０の全体が一体成形されており、後述する厚肉領域４２における、突出部４４を形成する部分５２ｄとそれよりも肌側に近い部分５２ｕとの間にも、同様に層どうしの隣接部や結合部が存在しない。
【００２５】
また本実施形態のナプキン１においては、高密度領域４３に加えて側方領域４５の肌対向面側の面にも圧縮部６が形成されているため、側方領域４５と重なる表面シート１１上に排出された液体や、表面シート１１上、表面シート１１中又は表面シート１１と吸収体１４との間を流れて側方領域４５上に達した液体が、粘度が比較的高い場合であっても、矢印ｄで示すように側方領域４５にスムーズに吸収される。これにより、粘度が比較的高い排泄液に対する吸収性能が一層向上する。
【００２６】
また本実施形態のナプキン１においては、図２（ａ）に示すように、厚肉領域４２が、吸収性コア４０における非肌対向面側の面に突出部４４を形成しているため、厚肉領域４２に高い吸収容量を確保しつつ、肌側シート１０と吸収体１４との密着性を高めることができる。これにより、粘度が比較的高い排泄液に対する吸収性能が一層向上する。
【００２７】
上述した一又は二以上の効果が一層確実に奏されるようにする観点から、ナプキン１は、以下の一又は二以上の構成を有することが好ましい。
中央領域４１の坪量は、側方領域４５の坪量の１．２倍以上であることが好ましく、より好ましくは１．５倍以上であり、また、好ましくは３．５倍以下、より好ましくは３．０倍以下であり、また、好ましくは１．２倍以上３．５倍以下、より好ましくは１．５倍以上３．０倍以下である。厚肉領域４２の坪量と側方領域４５の坪量との関係についても同様である。
【００２８】
また、吸収性コア４０は、高密度領域４３の厚みｔ３が、厚肉領域４２の厚みｔ１の８０％以下であることが好ましく、より好ましくは７５％以下であり、また好ましくは３５％以上、より好ましくは４０％以上であり、また好ましくは３５％以上８０％以下、より好ましくは４０％以上７５％以下である。高密度領域４３の厚みｔ３は、圧縮部６が形成されていない部分の厚みである。
また、吸収性コア４０は、高密度領域４３の密度が、厚肉領域４２の密度の１．２倍以上であることが好ましく、より好ましくは１．５倍以上であり、また、好ましくは３．５倍以下、より好ましくは３．２５倍以下であり、また、好ましくは１．２倍以上３．５倍以下、より好ましくは１．５倍以上３．２５倍以下である。他方、吸収性コア４０は、高密度領域４３における坪量が厚肉領域４２の坪量と同等であることが好ましい。ここでいう「同等」は、高密度領域４３の坪量が、厚肉領域４２の坪量の８０％以上１２０％以下であることを意味する。高密度領域４３の坪量は、厚肉領域４２の坪量の９０％以上１１０％以下であることが、吸収容量と装着の違和感低減の観点から、より好ましい。
【００２９】
また側方領域４５の密度は、厚肉領域４２の密度より高くても低くても良く、また同一であっても良いが、側方領域４５の密度は、厚肉領域４２の密度の２０％以上３００％以下であることが好ましく、厚肉領域４２の密度の３０％以上２００％以下であることが更に好ましい。
また、吸収性コア４０は、側方領域４５の厚みｔ５が、厚肉領域４２の厚みｔ１の７５％以下であることが好ましく、より好ましくは７０％以下であり、また好ましくは３０％以上、より好ましくは３５％以上であり、また好ましくは３０％以上７５％以下、より好ましくは３５％以上７０％以下である。
また、厚肉領域４２の厚みｔ１は、好ましくは１．５ｍｍ以上、より好ましくは２．０ｍｍ以上であり、また好ましくは８．５ｍｍ以下、より好ましくは８．０ｍｍ以下であり、また好ましくは１．５ｍｍ以上８．５ｍｍ以下、より好ましくは２．０ｍｍ以上８．０ｍｍ以下である。
【００３０】
高密度領域４３に形成されている圧縮部６は、その面積率が、６％以上であることが好ましく、より好ましくは８％以上であり、また好ましくは２５％以下、より好ましくは２０％以下であり、また好ましくは６％以上２５％以下、より好ましくは８％以上２０％以下である。
高密度領域４３に形成されている圧縮部６の面積率とは、高密度領域４３の肌対向面側の面の面積に対する圧縮部の合計面積の割合であり、高密度領域４３から、物品の長手方向Ｘの長さが５０ｍｍ、物品の幅方向Ｙの長さが７．５ｍｍの測定片を切り出し、該測定片の肌対向面側の面に存在する圧縮部の合計面積を該測定片の肌対向面側の面の全面積で除した値を１００分率で示す。
【００３１】
側方領域４５に形成されている圧縮部６は、その面積率が、６％以上であることが好ましく、より好ましくは８％以上であり、また好ましくは２５％以下、より好ましくは２０％以下であり、また好ましくは６％以上２５％以下、より好ましくは８％以上２０％以下である。
側方領域４５に形成されている圧縮部６の面積率とは、側方領域４５の肌対向面側の面の面積に対する圧縮部の合計面積の割合であり、側方領域４５から、物品の長手方向Ｘの長さが３０ｍｍ、物品の幅方向Ｙの長さが３０ｍｍの測定片を切り出し、該測定片の肌対向面側の面に存在する圧縮部の合計面積を該測定片の肌対向面側の面の全面積で除した値を１００分率で示す。
【００３２】
高密度領域４３の圧縮部６が形成されている部分の厚みｔ６は、高密度領域４３の厚みｔ３、即ち圧縮部６が形成されていない部分の厚みｔ３の、９０％以下であることが好ましく、より好ましくは８５％以下であり、また好ましくは３５％以上、より好ましくは４０％以上であり、また好ましくは３５％以上９０％以下、より好ましくは４０％以上８５％以下である。
側方領域４５の圧縮部６が形成されている部分の厚みは、側方領域４５の厚み、即ち側方領域４５における圧縮部６が形成されていない部分の厚みの、８０％以下であることが好ましく、より好ましくは７５％以下であり、また好ましくは１０％以上、より好ましくは２０％以上であり、また好ましくは１０％以上８０％以下、より好ましくは２０％以上７５％以下である。
【００３３】
吸収性コア４０の各部の厚みは、吸収性コア４０又は吸収性コア４０を含む吸収体１４を、カミソリの刃を用いて吸収性コア４０の幅方向に沿って切断し、その切断された吸収性コア４０の断面を、０．５ｇｆ／ｃｍ2の荷重をかけて、例えば、マイクロスコープ（
ＫＥＹＥＮＣＥ社製ＶＨＸ−１０００）を用いて２０〜１００倍の倍率に拡大して計測する。
吸収性コア４０の各部の厚みや後述する各部の幅は、厚肉領域４２の吸収性コア４０の長手方向Ｘに沿う長さを２等分する中央位置（図３及び図４中、ＩＩａで示す位置）において測定し、その中央位置に後述する横溝５１，５６がある場合には、前後にずらした横溝がない位置において測定する。各部の密度は、吸収性コア４０の断面を観察して得た厚みと吸収性コアの厚み方向の全体を含むように切り出した測定片の坪量から算出する。吸収性コアの形成材料を減らして形成した横溝５１や横溝５６がある場合、測定片は、それらを含まないように切り出す。
【００３４】
また中央領域４１の幅Ｗ１〔図２（ａ）参照〕は、吸収性コア４０の全幅Ｗに対する割合が、好ましくは２０％以上、より好ましくは３０％以上であり、また、好ましくは９５％以下、より好ましくは９０％以下であり、また、好ましくは２０％以上９５％以下であり、より好ましくは３０％以上９０％以下である。
【００３５】
厚肉領域４２及び突出部４４の幅Ｗ２〔図２（ａ）参照〕は、それぞれ、中央領域４１の幅Ｗ１に対する割合が、好ましくは１０％以上、より好ましくは１５％以上であり、また、好ましくは８０％以下、より好ましくは７５％以下であり、また、好ましくは１０％以上８０％以下、より好ましくは１５％以上７５％以下である。厚肉領域４２又は突出部４４の幅Ｗ２〔図２（ａ）参照〕は、それぞれ、好ましくは１０ｍｍ以上、より好ましくは１５ｍｍ以上であり、また、好ましくは６０ｍｍ以下、より好ましくは５０ｍｍ以下であり、また、好ましくは１０ｍｍ以上６０ｍｍ以下、より好ましくは１５ｍｍ以上５０ｍｍ以下である。
【００３６】
高密度領域４３の幅Ｗ３〔図２（ａ）参照〕は、中央領域４１の幅Ｗ１に対する割合が、好ましくは２．５％以上、より好ましくは５．０％以上であり、また、好ましくは３５％以下、より好ましくは３０％以下であり、また、好ましくは２．５％以上３５％以下、より好ましくは５．０％以上３０％以下である。高密度領域４３の幅Ｗ３〔図２（ａ）参照〕は、好ましくは２ｍｍ以上、より好ましくは５ｍｍ以上であり、また、好ましくは２０ｍｍ以下、より好ましくは１５ｍｍ以下であり、また、好ましくは２ｍｍ以上２０ｍｍ以下であり、より好ましくは５ｍｍ以上１５ｍｍ以下である。この範囲であれば、高密度領域４３での十分な吸収量と吸収性物品の良好な装着感を両立し易い。
【００３７】
本実施形態における吸収性コア４０は、図４に示すように、厚肉領域４２における非肌対向面側に、吸収性コア４０の長手方向Ｘに沿って延びる縦溝５０及び吸収性コア４０の幅方向Ｙに沿って延びる横溝５１が形成されており、また、各側方領域４５における非肌対向面側にも、吸収性コア４０の長手方向Ｘに沿って延びる縦溝５５及び吸収性コア４０の幅方向Ｙに沿って延びる横溝５６が形成されている。
【００３８】
厚肉領域４２の縦溝５０及び横溝５１は、図２に示すように、厚肉領域４２に、吸収性コアの形成材料の坪量が相対的に多い高坪量部５２と吸収性コアの坪量が相対的に少ない低坪量部５３とを形成することによって形成されており、縦溝５０及び横溝５１は、それぞれ低坪量部５３上に形成されている。厚肉領域４２の高坪量部５２と低坪量部５３は、高坪量部５２の密度が低坪量部５３の密度よりも低くても良いし、同一であっても良いが、高坪量部５２の密度が低坪量部５３の密度よりも高いことが好ましい。
【００３９】
側方領域４５の縦溝５５及び横溝５６は、図２に示すように、側方領域４５に、吸収性コアの形成材料の坪量が相対的に多い高坪量部５７と吸収性コアの坪量が相対的に少ない低坪量部５８とを形成することによって形成されており、縦溝５５及び横溝５６は、それぞれ低坪量部５８上に形成されている。側方領域４５の高坪量部５７と低坪量部５８は、高坪量部５７の密度が低坪量部５８の密度よりも低くても良いし、同一であっても良いが、高坪量部５７の密度が低坪量部５８の密度よりも高いことが好ましい。
【００４０】
厚肉領域４２及び側方領域４５における非肌対向面Ｑ側に、吸収性コア４０の長手方向Ｘに沿って延びる縦溝５０，５５が形成されていると、ナプキン着用時に湾曲の妨げにならず、着用者の身体形状に沿い易い等の利点がある。
また、厚肉領域４２及び側方領域４５における非肌対向面Ｑ側に、吸収性コア４０の幅方向Ｙに沿って延びる横溝５１，５６が形成されていると、着用者の動きに合わせて変形性に優れるため、皴が発生しにくく、装着違和感を与えにくい等の利点がある。
更に、吸収性コア４０に縦溝５０、５５あるいは横溝５１、５６が形成されていると、溝の空間に排泄された液体を素早く吸収性コア４０内に取り込むことができるため、高粘度の液体であってもより迅速に吸収することができる。更に、取り込まれた液が、溝を通って拡散しやすくなるため、吸収性コアの中央部が液だまりしにくくなり、高粘度の液体であっても表面シート１１に液が残りにくい効果が更に高まる。
【００４１】
上述したナプキン１の吸収性コア４０は、例えば、外周面に集積用凹部６５を備え、一方向Ｒに回転する積繊ドラム６４と、該積繊ドラム６４の外周面に吸収性コアの形成材料を飛散状態で供給するダクト６９を備えた積繊装置６３（図６参照）を用いて、前述した積繊体４０Ａを製造した後、前述した、図７（ｂ）に示すプレス加工及び図７（ｃ）に示すエンボス加工を施すことにより製造することができる。図７（ａ）〜図７（ｃ）に示す例について、より具体的に説明すると、搬送方向ＭＤに直交する幅方向ＣＤの中央部に幅広厚肉領域４１’を有する積繊体４０Ａを、図７（ａ）及び図７（ｂ）に示すように、周面の一部に凹部７２を備えたプレスロール７１と周面が平滑なフラットロール７３との間に導入することにより、幅広厚肉領域４１’の側部部分４３’を強く加圧して、高密度領域４３を有する積繊体４０Ａを形成した後、図７（ｃ）に示すように、その積繊体４０Ａを、エンボス装置におけるエンボス用の凸部７５を備えたエンボスロール７４と、周面の一部に凹部７７を備えたアンビルロール７６との間に導入することにより、該積繊体４０Ａにおける高密度領域４３及び側方領域４５に、多数の圧縮部６を、図３に示すパターンで形成する。
【００４２】
圧縮部６を形成するためのエンボス加工は、エンボスロール及びアンビルロールを加熱せずに、被加工物の加圧のみを行うエンボス加工であっても良いし、エンボスロール及びアンビルロールの一方又は双方を加熱して加熱及び加圧を行うエンボス加工であっても良い。
同様に、高密度領域４３を形成するためのプレス加工は、プレスロール及びフラットロールを加熱せずに、被加工物の加圧のみを行うプレス加工であっても良いし、プレスロール及びフラットロールの一方又は双方を加熱して加熱及び加圧を行うプレス加工であっても良い。
また、図７（ｂ）及び図７（ｃ）には、突出部４４を形成する厚肉領域４２となる部分は加圧しない場合が示されているが、厚肉領域４２となる部分及び側方領域４５となる部分の何れか一方又は双方を、高密度領域４３となる側部部分４３’よりも弱く加圧圧縮するようにしても良い。
【００４３】
図６に示す積繊装置６３における集積用凹部６５は、積繊ドラム６４の外周面の周方向に一定の間隔で複数個形成されている。集積用凹部６５の底面６６は、メッシュプレート等からなり、吸引孔として機能する多数の細孔を有している。
図９（ａ）に示すように、集積用凹部６５の底面６６の一部には、幅広厚肉領域４１’を形成するための凹部６６ａが形成されている。集積用凹部６５の底部には、低坪量部５３，５８等の低坪量部を形成するための難通気性部材６７，６８が配置されている。難通気性部材６７，６８は、集積用凹部６５の底面から突出するように固定されており、非通気性部材であっても良く、例えば金属やプラスチックからなる。
積繊ドラムを備えた公知の積繊装置と同様に、集積用凹部６５の底面から吸引しつつ、ダクト内に吸収性コアの形成材料４０’を供給することによって、図９（ｂ）に示すように、吸収性コアの形成材料４０’が集積用凹部６５内に所定形状に堆積する。その堆積物４’を、集積用凹部６５から離型することで積繊体４０Ａが得られる。図９（ｂ）に示すように、難通気性部材６７，６８上に堆積したコア形成材料からなる部分が低坪量部５３等となり、難通気性部材６７，６８を有しない底面上に堆積した部分が高坪量部５２等となる。この積繊体４０Ａを、コアラップシートで被覆する前又は被覆した後、好ましくは被覆後に、図７（ｂ）に示すようなプレス加工及び図７（ｃ）に示すようなエンボス加工を施す。
【００４４】
なお、上述した実施形態では、図７（ｂ）及び（ｃ）をこの順で行う製造工程を示したが、高密度領域４３を形成する工程と圧縮部６を形成する工程は同時に行っても良いし、また、圧縮部６を形成した後に高密度領域４３を形成する工程を行っても良い。
【００４５】
吸収体１４としては、吸収性物品の吸収体として従来使用されている各種のもの等を特に制限なく用いることができるが、上述したナプキン１の吸収体１４のように、吸収性コア４０と、該吸収性コアを包むコアラップシート１４ｃから構成されているものが好ましい。
吸収性コア４０及びその製造に用いる積繊体４０Ａは、例えばパルプ繊維等の吸液性繊維の積繊体であっても良いし、該吸液性繊維と吸水性ポリマーとの混合積繊体であっても良い。吸収性コアを構成する吸液性繊維としては、例えば、パルプ繊維、レーヨン繊維、コットン繊維、酢酸セルロース等のセルロール系の親水性繊維が挙げられる。これらの繊維は、１種を単独で又は２種以上を組み合わせて用いることができる。セルロール系の親水性繊維に加えて、ポリエチレン、ポリプロピレン等のポリオレフィン系繊維、ポリエステル、ポリアミド等の縮合系繊維等を含んでいても良い。吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等が挙げられる。繊維及び吸水性ポリマーは、それぞれ一種又は二種以上を組み合わせて用いることができる。
【００４６】
吸収性コア４０は、全体又は一部がパルプ繊維であることが好ましく、吸収性コア４０に含まれる全繊維に対するパルプ繊維の割合は５０〜１００質量％であることが好ましく、より好ましくは８０〜１００質量％であり、更に好ましくは１００質量％である。なお、吸収性コアには、高吸水性ポリマー以外に、消臭剤や抗菌剤等を必要に応じて配合しても良い。また、吸収体１４は、吸収性コア４０のみからなるものでも良い。
【００４７】
コアラップシートとしては、ティッシュペーパーや不織布等の透水性の繊維シートが好適に用いられる。コアラップシートは、一枚のシートで吸収性コアの全体を包んでいても良いし、２枚以上のコアラップシートで吸収性コアの全体を包んでいても良く、例えば、吸収性コアの肌対向面側と非肌対向面側とを別々のシートで被覆していても良い。
吸収体１４が、吸収性コア４０と、吸収性コアを包むコアラップシート１４ｃから構成されているものである場合、前述した圧縮部６は、吸収性コアのみに設けても良いが、コアラップシートと吸収性コアとに一体に設けることが好ましい。
【００４８】
表面シート１１、サイドシート１２及び非肌側シート１３としては、それぞれ、当該技術分野において従来用いられてきたものと同様のものを特に制限なく用いることができる。例えば、表面シート１１としては、液透過性を有する不織布や、穿孔フィルムを用いることができる。サイドシート１２としては、耐水圧が高い撥水性の不織布、例えば、スパンボンド−メルトブローン−スパンボンド積層不織布等を用いることができる。非肌側シート１３としては、合成樹脂製の液不透過性フィルムや、スパンボンド−メルトブローン−スパンボンド積層不織布等の耐水圧が高い撥水性の不織布を用いることができる。
【００４９】
次に、第２の実施形態としてのナプキン１Ａについて説明する。なお、第２実施形態のナプキン１Ａについては、前述した実施形態のナプキン１と異なる部分についてのみ説明し、それ以外については、同様の符号を付して説明を省略する。特に説明しない点については、前述したナプキン１についての説明が適宜適用される。
【００５０】
第２の実施形態のナプキン１Ａは、図１０に示すように、吸収性コア４０に関して、局所的高密度部である圧縮部６Ａが、非肌対向面側から肌対向面側に向かって窪んだ形状となっている点が、前述したナプキン１と異なる点である。ナプキン１Ａにおいては、局所的高密度部である圧縮部６Ａが、吸収性コア４０の非肌対向面Ｐ側の表面に開口を有するように形成されており、吸収性コア４０の平面視において該圧縮部６Ａの周囲に位置する部分より高密度であるとともに、高密度領域４３Ａの密度を高めている点で共通しており、第２実施形態のナプキン１Ａによっても、前述したナプキン１と同様の効果が奏される。
【００５１】
以上、本発明をその好ましい実施形態に基づき説明したが、本発明は前記実施形態に制限されない。
例えば、圧縮部６は、高密度領域４３のみに形成され、側方領域４５には、形成されていなくても良い。また、図３に示す吸収性コア４０は、幅方向Ｙの中央部に、圧縮部６が形成されていない矩形状の領域６Ｎが形成されており、該領域６Ｎは、前方部Ａの一部から後方部の一部に亘っているが、圧縮部６が形成されていない領域６Ｎが、吸収性コア４０の長手方向Ｘの全長に亘って存在していても良い。また厚肉領域４２は、肌対向面側に突出する突出部をゆうしていても良い。
【００５２】
また、本発明の吸収性物品は、生理用ナプキンの他、パンティライナー（おりものシート）、失禁パッド、使い捨ておむつ等の他の吸収性物品であっても良い。
【実施例】
【００５３】
以下、本発明を実施例により更に具体的に説明するが、本発明は斯かる実施例に限定されるものではない。
〔実施例１〕
〔吸収体の製造〕
図６に示す積繊装置を用い、パルプ繊維及び吸水性ポリマーを飛散状態として積繊ドラムに供給して、幅広厚肉領域４１’を有する混合積繊体４０Ａを製造した。次いで、これを坪量１６ｇ／ｍ2の吸収紙からなるコアラップシートで被覆した状態とした後、図７（ｂ）に示すようなプレス加工及び図７（ｃ）に示すようなエンボス加工を行い、図１に示す形状の吸収体１４を得た。吸収体１４の吸収性コアは、排泄部対向部に配される部分に、坪量が４００ｇ／ｍ2の中央領域４１及び坪量２００ｇ／ｍ2の側方領域４５が形成されており、その中央領域４１には、幅Ｗ２が２０ｍｍの厚肉領域４２と幅Ｗ３が１０ｍｍの一対の高密度領域４３とが形成されていた。吸収性コア４０の幅方向Ｙに沿う長さである、中央領域４１の幅Ｗ１及び各側方領域４５の幅は、４０ｍｍ及び２７ｍｍとした。
高密度領域４３及び側方領域４５の肌対向面側の面には、コアラップシートと吸収性コアを一体的に凹陥させた圧縮部６を、図３及び図５（ａ）に示す配置で形成した。図５（ａ）中に示す寸法Ｌ６，Ｐ１，Ｐ２は、順に２．０ｍｍ，３．５ｍｍ及び３．５ｍｍとした。
【００５４】
〔表面シートの製造〕
大和紡績株式会社の芯鞘繊形複合繊維［ＮＢＦ（ＳＨ）（商品名）２．３ｄｔｅｘ×５１ｍｍ］を原料として、カード法によって坪量２５ｇ／ｍ2のカードウェブを製造し、１３６℃±５℃の熱風を５〜１０秒間通過させて、表面シート１１を作成した。
【００５５】
〔生理用ナプキンの製造〕
上述のようにして製造した吸収体を、上述のようにして製造した表面シート１１と、ポリエチレン製の樹脂フィルムからなる非肌側シート間に配して試験用の生理用ナプキンを得た。表面シートは、吸収体上に接着剤をスパイラルパターンでパターン塗工して吸収体上に固定した。
【００５６】
〔比較例１〕
吸収体の製造の際に、図７（ｃ）に示すようなエンボス加工を行わなかった以外は、実施例１と同様にして、試験用の生理用ナプキンを得た。
【００５７】
〔性能評価〕
実施例１及び比較例１の生理用ナプキンについて、下記方法により表面液戻り量を測定し、表面液戻り性を評価した。それらの結果を下記表１に示す。
【００５８】
〔測定方法〕
実施例１及び比較例１の生理用ナプキンを表面シート側が上側となるようにして水平に置き、底部に直径１ｃｍの注入口が付いた円筒付アクリル板を重ねて、注入口から脱繊維馬血を６ｇ及び９ｇをそれぞれ注入し、注入後１分間その状態を保持した。次に、円筒付アクリル板を取り除き、表面シートの表面上に、縦６ｃｍ×横９．５ｃｍで坪量１３ｇ／ｍ2の吸収紙（市販のティッシュペーパー）を１６枚重ねて載せた。更にその上に圧力が４．０×１０2Ｐａになるように重りを載せて５秒間加圧した。加圧後、吸収紙を取り出し、加圧前後の紙の重さを測定して、紙に吸収された脱繊維馬血の質量を測定して表面液戻り量とした。
脱繊維馬血としては、脱繊維馬血（株式会社日本バイオテスト研究所製）を用いて、粘度を調整した下記の低粘度液及び高粘度液を用いた。低粘度液は、通常の粘度の経血を想定し、高粘度液は、生理前半などに見られる粘度の高い経血を想定した。
低粘度液：粘度８ｃＰ
高粘度液：粘度２５ｃＰ
【００５９】
【表１】
2017094047.tif 000003
【００６０】
表１の結果によれば、脱繊維馬血として低粘度液を用いた場合、実施例１の生理用ナプキンは、比較例１の生理用ナプキンと同様に、表面液戻り量が低く、優れた肌への液戻り防止性を示した。また、脱繊維馬血として高粘度液を用いた場合、実施例１の生理用ナプキンは、比較例１の生理用ナプキンと比べて大幅に表面液戻り量が低く、本発明の吸収性物品によれば、粘度が比較的高い排泄液についても優れた吸収性能、特に優れた液戻り防止性が得られることが判る。
【符号の説明】
【００６１】
１  生理用ナプキン（吸収性物品）
１０  肌側シート
１１  表面シート
１２  サイドシート
１３  非肌側シート
１４  吸収体
１４ｃ  コアラップシート
４０  吸収性コア
４１  中央領域
４２  厚肉領域
４３  高密度領域
４４  突出部
４０Ａ  積繊体
４１’  幅広厚肉領域
６  圧縮部（局所的高密度部）
１５  吸収性本体
１７  ウイング部
１８  後方フラップ部
５０  厚肉領域の縦溝
５１  中央領域の横溝
５５  側方領域の縦溝
５６  側方領域の横溝
【図１】
2017094047.tif 000004
【図２】
2017094047.tif 000005
【図３】
2017094047.tif 000006
【図４】
2017094047.tif 000007
【図５】
2017094047.tif 000008
【図６】
2017094047.tif 000009
【図７】
2017094047.tif 000010
【図８】
2017094047.tif 000011
【図９】
2017094047.tif 000012
【図１０】
2017094047.tif 000013